(57)【要約】      （修正有）【課題】中古車の価格を表示する表示板又は表示シートを配置ことが出来る表示装置を提供する。【解決手段】基台１の表面側下端には受けを設け、背面側中央部には凸条などで形成した複数の係止片を設けると共にその両側にはガイドレール４，４を縦方向に延ばし、上記基台１を適度な角度に傾斜して支持する為の角度調整プレート６を上記ガイドレース４，４に挟むと共に上縁８を上記係止片に係止してダッシュボード上に載置可能としたことを特徴とする。【選択図】図１
2019095714.tif 000002
【特許請求の範囲】
【請求項１】
中古車の価格を表示する表示板又は表示シートを配置ことが出来る表示装置において、基台の表面側下端には受けを設け、背面側中央部には凸条などで形成した複数の係止片を設けると共にその両側にはガイドレールを縦方向に延ばし、上記基台を適度な角度に傾斜して支持する為の角度調整プレートを上記ガイドレースに挟むと共に上縁を上記係止片に係止してダッシュボード上に載置可能としたことを特徴とする中古車の価格表示装置。
【請求項２】
上記基台の表面側には受けの上方に受け部材を取付けた請求項１記載の中古車の表示価格装置。
【請求項３】
上記基台の側部に補助フレームを取付けて基台の横幅寸法を拡大した請求項１、又は請求項２記載の中古車の表示価格装置。
【請求項４】
中古車の価格を表示する表示板又は表示シートを配置ことが出来る表示装置において、基台の表面側下端には受けを設け、該基台の背面側には取付け部材を取付け、この取付け部材には吸着盤から延びるアーム先端に設けた先端部材を連結し、上記吸着盤をフロントガラスに吸着して取付けたことを特徴とする中古車の表示価格装置。
【請求項５】
上記基台には複数の取付け穴を縦方向に設け、該取付け穴は挿入穴と該挿入穴から上下方向へ延びるスリット穴を連続して形成した請求項１、請求項２、請求項３、又は請求項４記載の中古車の価格表示装置。
【発明の詳細な説明】
【技術分野】
【０００１】
本発明は中古車市場において、展示される各中古車の価格を表示した表示板又は表示シートを取付ける価格表示装置に関するものである。
【背景技術】
【０００２】
新車の価格は夫々のメーカが定価として定めており、この定価を基にして客に販売価格を提示している。新車の仕様及び定価は各メーカが配布しているパンフレットに表示され、またインターネットを介して各メーカのホームページを開くことで見ることが出来る。そして、具体的な販売価格は客との交渉で上記定価から幾らかを値引きして決められる。
【０００３】
しかし、中古車の場合には定価として定まったものはなく、その車の年式、走行距離、及び車両の状態などによってその価格は変動し、その為に各中古車ごとに価格が定められる。
そこで、中古車の価格は表示板に表示され、車のフロントから見えるように該表示板は車内にセットされる。一般的には、車内のバックミラーに引っ掛けて取付けている。
【０００４】
図１１は従来の価格表示板（イ）をバックミラー（ロ）に引っ掛けて取付けた場合を示している。上記価格表示板（イ）は同図に示すように長方形をした薄い板体であり、その表面には価格を表示している。
価格は１，２，３の数字を表している数字板（ハ）、（ニ）、（ホ）と「万」の文字を表している文字板（ヘ）を配列して１２３万と表示している。時にはマジックで手書きすることもあるが、数字板（ハ）、（ニ）、（ホ）と文字板（ヘ）を配列することで、簡単にしかも綺麗に価格を表示できる。その為に、数字板（ハ）、（ニ）、（ハ）及び文字板（ヘ）は価格表示板（イ）の表面に磁気力を利用して吸着出来るように成っている。
【０００５】
価格表示板（イ）の背面側には金属製のワイヤーで作った吊具（ト）が取付けられ、スライドして上方へ伸びるようになっている。
図１２はバックミラー（ロ）に価格表示板（イ）を引っ掛けた場合の背面図であり、上記吊具（ト）は価格表示板（イ）の背面に固定した取着板（チ）に取付けられ、上下方向にスライドすることが出来、その為に吊具（ト）をバックミラー（ロ）に引っ掛けて価格表示板（イ）を適当な高さにセットすることが出来る。
【０００６】
図１３は価格表示板（イ）をバックミラー（ロ）に引っ掛ける場合を示しているが、吊具（ト）の空間（リ）にバックミラー（ロ）を通過させて前記図１２のように吊下げることが必要である。
しかし、吊具（ト）の幅寸法は小さくて、その為にバックミラー（ロ）に引っ掛けにくい。また、該吊具（ト）の幅寸法をバックミラーの幅寸法と同じ程度に大きくするならば、引っ掛ける作業は容易であるが、価格表示板（イ）が横ズレして傾いてしまう。
【０００７】
中古車の価格を表示する表示板に関しては従来から色々なものが存在している。例えば、特開平１１−４５０６２号に係る「表示装置」は、上記の価格表示板とは異なり、少ない消費電力で昼夜を問わずに鮮明に表示し、中古車などの販売促進に使用できる表示装置である。
すなわち、販売せんとする車輛のバッテリーを電源とし、タイマー回路を経て間欠点灯回路によって多数のＬＥＤ光源の光を、点灯／（点灯＋消灯）の時間比を示す実質上の点滅比率を低比率として、フィルターを経て蛍光色印刷層と遮光印刷層によって価格等を色分けした表面板の前面に点滅表示することにより、見掛け上１／１若しくはその近傍の点滅比率として視認させるよう構成している。
【０００８】
実用新案登録第３２０２６９１号に係る「中古車の価格表示板」は、中古車のバックミラーに引っ掛けて価格を表示することが出来る中古車の価格表示板である。
すなわち、表示板の背面側上部に固定した取着板に吊具を取付けた構造とし、該吊具は両縦片と上片を有して上記取着板に沿って縦片をスライド可能とし、両縦片間距離を上記バックミラーの幅寸法より大きくしている。
【０００９】
該表示板はバックミラーに正面から引っ掛けることで取付け易く、しかもバックミラーに引っ掛けた状態での横ズレを生じることなく安定する。しかし、引っ掛けられる表示板は下方へ垂下して配置されるが、車両のフロントガラスの傾斜によっては見え難い場合があり、また表示板はプラスチックや金属板にて構成して剛性のあるプレートと成っている。
【特許文献１】特開平１１−４５０６２号に係る「表示装置」
【特許文献２】実用新案登録第３２０２６９１号に係る「中古車の価格表示板」
【発明の開示】
【発明が解決しようとする課題】
【００１０】
このように、中古車の価格を表示する表示板は知られているが、上記のごとき問題がある。本発明が解決しようとする課題はこの問題点であり、車両のフロント部に見易い傾斜角度をもって配置することが出来る表示装置を提供する。
【課題を解決するための手段】
【００１１】
本発明に係る中古車の価格表示装置は、基台と表示板又は表示シートにて構成され、該基板に表示板又は表示シートを配置して取付け出来るように構成している。基台は一般に四角形をしたプラスチック製板であり、その下端部には受けを着脱出来るように取付けている。
そして、表示板は表面に中古車の値段を表示しているが、一般的にプラスチック製の四角形板としているが、表示シートは薄い紙製と成っている。
【００１２】
ところで、上記基台にはその背面に傾斜角度調整プレートを取付けて、該基台は適度な角度で傾斜して支持される。また表示板が載る受けの高さを適度に調整することが出来るようにしている。そして、基台の側部には補助フレーム（補助板）を取付け、基台の大きさを拡大することが出来るようにしている。
一方、該基台はフロント部のダッシュボードに載置することなく、フロントガラスに吸着盤を吸着して取付ける場合もある。基台の背面には取付け部材が取付けられ、この取付け部材には吸着盤から延びるアーム先端の先端部材を連結することが出来るように成っている。
【発明の効果】
【００１３】
本発明の中古車の価格表示装置は、基台に取付けた受けに表示板又は表示シートを載せることで車両のフロント側から値段を表示した上記表示板又は表示シートを見ることが出来る。そして、該基台は背面に取付けた角度調整プレートで適度な角度で支えられ、基台に載って配置した表示板又は表示シートは外から見え易くなる。
【００１４】
そして、該基台の側部に補助フレームを取付けることで大きく成り、この大きな基台に紙などで剛性のない表示シートを載せることが出来る。
さらに、基台はダッシュボードの上に載置することなく、フトントガラスに吸着盤を固定し、該吸着盤から延びるアーム先端に基台を取付けることが出来る。すなわち、本発明の価格表示装置はダッシュボードの表示形状が如何様であっても、またフロントガラスの傾斜角度が如何様であっても、外から見え易く配置することが可能である。
【図面の簡単な説明】
【００１５】
【図１】本発明に係る中古車の価格表示装置を構成する実施例で、（ａ）は互いに分離した基台と角度調整プレート、（ｂ）は角度調整プレートを基台に取付けた場合。
【図２】基台背面に設けた凹凸面に角度調整プレートの上縁が係止している場合の断面図。
【図３】（ａ）は価格表示装置に表示板を配置した背面側からの斜視図、（ｂ）は価格表示装置に表示板を配置した正面側からの斜視図。
【図４】（ａ）は基台に受け部材を取付けた価格表示装置、（ｂ）は（ａ）に示す価格表示装置に表示板を配置した場合。
【図５】（ａ）は基台に補助フレームを取付ける場合、（ｂ）は基台の両側に補助フレームを取付けて横幅寸法を拡大した場合、（ｃ）は（ｂ）に示す価格表示装置に表示シートを配置した場合。
【図６】（ａ）は基台の両側にさらなる補助フレームを取付ける場合、（ｂ）は（ａ）に示す補助フレーム取付けた価格表示装置。
【図７】補助フレームを基台側部に取付ける構造を示す具体例。
【図８】基台をフトントガラスに取付ける実施例で、（ａ）は互いに分離している基台と取付け部材、（ｂ）は基台に取付け部材を取付けた価格表示装置の実施例、（ｃ）は取付け部材を取付けた基台と吸着盤にアームと先端部材を取付けた実施例。
【図９】（ａ）は基台にアームを備えた吸着盤、（ｂ）は（ａ）に示す基台に表示板を配置した場合、（ｃ）は（ｂ）の側面図。
【図１０】基台に取付け部材を取付ける場合で、（ａ）は取付け部材のツバ付きピンのツバが取付け穴の挿入穴に嵌っている場合、（ｂ）はツバ付きピンのピンが移動してスリット穴に嵌った場合、（ｃ）はツバ付きピンが取付け穴に嵌って取付け部材が固定された場合。
【図１１】従来の表示板を示す具体例。
【図１２】従来の表示板の背面側。
【図１３】従来の表示板をバックミラーに引っ掛ける状態。
【発明を実施するための形態】
【００１６】
図１（ａ）は本発明に係る価格表示装置を構成する基台１を示す実施例であり、背面側を表している。該基台１は長方形を成して、周囲にはリブ２，２・・・を背面側に突出して設けることで、全体の剛性を高めている。背面の中央部には水平方向に延びる凹凸で形成した凹凸面３が形成され、該凹凸面３の両側にはＬ形断面をしたガイドレール４，４が縦方向に延びている。
【００１７】
そして、上記ガイドレール４，４の外側には取付け穴５，５・・・を貫通して設けている。この取付け穴５は中央に円形の大きな挿入穴を有し、この挿入穴の上下には幅の狭いスリット穴を連続して設けている。
また、同図に示す６は角度調整プレートを示し、この角度調整プレート６を上記基台１に取付けた状態を図１（ｂ）に示している。
【００１８】
角度調整プレート６の上端両側には凸部７，７を突出し、この両凸部７，７はガイドレール４，４に係合し、しかも上縁８は凹凸面３の凸条に係止することが出来る。凸条は水平方向に延びていて、複数本設けられているために、上縁８は適当な位置にある凸条と係止し、下縁９はフロント部のダッシュボード上に載置されることで、図１（ｂ）に示すように基台１は適当な傾斜角度をもって支えられる。
図２は基台１の背面中央部に設けた凹凸面３の断面拡大図を表しているが、この凹凸面３の凸条に上記角度調整プレート６の上縁８が係止している場合である。
【００１９】
図３は上記図１（ｂ）に示した基台１の表面側に表示板１０を配置した状態を表している。表示板１０は基台１より大きくて樹脂製のプレートであり、表面には中古車の販売価格が表示されている。同図の表示板１０には１２３万と表示され、これを傾斜している基台１に載せて配置することでフロントガラスを通して見ることが出来る。
【００２０】
ここで、上記角度調整プレート６の上縁８が凹凸面３に設けている適当な凸条を選んで係止することで、表示板１０の傾きを変えてフロントガラスから見え易くすることが出来る。また、凹凸面３の両側に設けているガイドレール４，４に角度調整プレート６の上端に設けている凸部７，７が係合することで、左右に位置ズレることなく拘束される。
また、上縁８は図２に示すように凹凸面３に係止することで滑って位置ズレることなく定まった凸条に係止することが出来る。しかも上縁８は上側凸条に係止すると共に下側の凸条にも係止することで、基台１と角度調整プレート６との交差角度が定まる。
【００２１】
基台１の下端には一部にＬ形カギを形成している受け１１を設けていて、この受け１１に表示板１０の下端が係合し、そして基台１の表面に当接して配置されている。すなわち、表示板１０は受け１１を設けた基台１に置くだけで、固定はされていない。
ところで、基台１に配置した表示板１０の高さが低い場合には、独立した部材として機能している受け部材１２を上方に取付けることが出来る。
【００２２】
図４（ａ）は基台１に形成している受け１１より上方に受け部材１２を取付けている場合であり、図４（ｂ）はこの受け部材１２に表示板１０を載せて配置した状態を表している。従って、該表示板１０は高い位置に配置される。
ここで、上記受け部材１２は基台１に設けている取付け穴５，５を用いて取付けることが出来る。受け部材１２の背面には先端にツバを形成したピンが突出し、このピンが取付け穴５，５に嵌って固定される。
【００２３】
図４に示しているように、取付け穴５は中央に円形の挿入穴１３を有し、挿入穴１３から上下方向にスリット穴１４，１４を連続して延ばしている。そこで、大きなツバが挿入穴１３から挿入したところで、受け部材１２を下方へ降ろすならば、ピンはスリット穴１４に導かれて嵌合することで固定される。
すなわち、ツバはスリット穴１４より大きいために、該スリット穴１４から抜けることはない。
【００２４】
図５に示す実施例は基台１の大きさを拡大して両方向へ拡張する場合を表している。そこで補助フレーム１５，１５が基台１の両側に取付けられる。
補助フレーム１５は角形をなし、２本の縦片２８ａ，２８ｂは３本の横片１６ａ，１６ｂ，１６ｃにて繋がっている。
そして、内側の上記縦片２８ｂから突片２９ａ，２９ｂ，２９ｃを延ばし、これら各突片２９ａ，２９ｂ，２９ｃの背面には対を成すツメ１７ａ，１７ｂ，１７ｃを背面側へ突出している。
また、基台１の側部表面には嵌入穴１８ａ，１８ｂ，１８ｃが設けられ、この嵌入穴１８ａ，１８ｂ，１８ｃにツメ１７ａ，１７ｂ，１７ｃが係合することで補助フレーム１５は取付けられる。図５（ｂ）は基台１の両側に補助フレーム１５，１５を取付けた場合であり、基台１の横幅寸法は大きく拡大する。
【００２５】
このように、補助フレーム１５，１５を取付けた基台１に表示シート１９を配置した場合が図５（ｃ）に示している。プラスチック板で構成した表示板１０であれば、補助フレーム１５，１５を取付ける必要はないが、紙などの薄いシートに価格を書いたものであれば、基台１から外方向へはみ出した部分は撓み変形してしまう為に、同図に示す補助フレーム１５，１５を取付けて表示シート１９を支えている。
【００２６】
図６は基台１の両側に補助フレーム１５ａ，１５ｂ・・・を取付け、横幅寸法をさらに拡大した場合の実施例である。補助フレーム１５ａは基台１の側部に形成した嵌入穴１８ａ，１８ｂ・・・にツメ１７ａ，１７ｂ・・・が係合することで取付けられ、さらに補助フレーム１５ｂは補助フレーム１５ａの側部に設けた嵌入穴２０ａ，２０ｂ・・・にツメ２１ａ，２１ｂ・・・が係合して取付けられる。
補助フレーム１５ａ，１５ｂ・・・を取付けた場合の基台１は図６（ｂ）に示すように、横幅寸法はさらに大きくなる。
【００２７】
図７は補助フレーム１５を基台１に取付けた場合を示す背面図である。縦片２８ｂは基台１の側面に当接すると共に、縦片２８ｂから突出ている突片２９は基台１の側部表面に当接する。そして、突片２９から背面側へ突出しているツメ１７は嵌入穴１８に嵌って係合する。
上記ツメ１７は対を成す２本で構成され、該嵌入穴１８に弾性力を付勢して係合することで、ガタ付くことなく安定して取付けられる。ただし、該補助フレーム１５の形状は限定しない。
【００２８】
図８は基台１をダッシュボードに載置することなく、フロントガラスに吸着盤２３を吸着して支持する場合の実施例である。基台１の背面に取付け部材２２を固定し、この取付け部材２２にアーム先端に設けている先端部材２４を連結することが出来る。
図８（ａ）は基台１と取付け部材２２が分離している場合であり、この取付け部材２２は上記受け部材１２の場合と同じく取付け穴５，５・・・を利用して取付けられる。
【００２９】
取付け部材２２の背面両側部にはツバ付きピンが突出していて、このツバ付きピンが４個の取付け穴５，５・・・に嵌合して固定される。すなわち、ピンの先端に形成しているツバは挿入穴１３，１３・・・に嵌り、この状態で取付け部材２２を上方へスライドさせてピンをスリット穴１４，１４・・・に嵌合する。図８（ｂ）は基台１に取付け部材２２を固定した場合を表している。
【００３０】
図８（ｃ）は取付け部材２２を固定した基台１、吸着盤２３と先端部材２３を備えたアーム２５を表している。吸着板２３はフロントガラスに吸着して固定され、先端部材２４は上記取付け部材２２に連結される。
該取付部材２２の中央部には複数の取付け穴２６，２６・・・が設けられ、一方の先端部材２４にはツバ付きピン２７，２７・・・を設けている。上記取付け部材２２に設けている取付け穴２６，２６・・・はツバ付きピン２７，２７・・・のツバが挿入する大きさの挿入穴とスリット穴が上方へ連続して延びている。すなわち、上記受け部材１２の取付け構造と同じである。
【００３１】
図９はフロントガラスに吸着盤を介して基台１を取付ける場合を表している。図９（ａ）は基台１がアーム先端に支持されて、基台１はフロントガラスに近接して配置される。図９（ｂ）はアームに支持された基台１に表示板１０が配置されている。図９（ｃ）は（ｂ）の側面図であり、このように基台１の下縁をダッシュボードに接することなく支持することが出来る。その為に、該ダッシュボードの形状が如何様であっても基台１は取付けられる。
【００３２】
図１０は上記取付け部材２２を基台１の背面側に取付ける場合を表している。取付け部材２２の背面には４本のツバ付きピン３０，３０・・・が突出し、これらツバ付きピン３０，３０・・・は基台１に設けている取付け穴５，５・・・に嵌められる。図１０（ａ）は取付け穴５の挿入穴１３にツバ付きピン３０の先端に設けているツバ３１が嵌った場合である。そして、取付け部材２２を上方へスライドさせるならば、図１０（ｂ）に示すようにツバ付きピン３０のピン３２はスリット穴１４に嵌入し、ツバ３１は基台１の表面に移動して係合する。したがって、ツバ付きピン３０は取付け穴５から抜けることなく固定される。
【００３３】
図１０（ｃ）は取付け穴５にツバ付きピン３０が係合して固定された断面を表している。このように、取付け部材２２は４本のツバ付きピン３０，３０・・・が取付け穴５，５・・・に嵌って係合することで固定され、この取付け部材２２にアーム先端に設けた先端部材２４が連結する。先端部材２４にも４本のツバ付きピン２７，２７・・・が設けられ、該ツバ付きピン２７，２７・・・は取付け部材２２に設けている取付け穴２６，２６・・・に嵌って固定される。
【符号の説明】
【００３４】
１   基台
２   リブ
３   凹凸面
４   ガイドレール
５   取付け穴
６   角度調整プレート
７   凸部
８   上縁
９   下縁
10   表示板
11   受け
12   受け部材
13   挿入穴
14   スリット穴
15   補助フレーム
16   横片
17   ツメ
18   嵌入穴
19   表示シート
20   嵌入穴
21   ピン
22   取付け部材
23   吸着盤
24   先端部材
25   アーム
26   取付け穴
27   ツバ付きピン
28   縦片
29   突片
30   ツバ付きピン
31   ツバ
32   ピン
【図１】
2019095714.tif 000003
【図２】
2019095714.tif 000004
【図３】
2019095714.tif 000005
【図４】
2019095714.tif 000006
【図５】
2019095714.tif 000007
【図６】
2019095714.tif 000008
【図７】
2019095714.tif 000009
【図８】
2019095714.tif 000010
【図９】
2019095714.tif 000011
【図１０】
2019095714.tif 000012
【図１１】
2019095714.tif 000013
【図１２】
2019095714.tif 000014
【図１３】
2019095714.tif 000015